(57)【要約】【課題】光源基板で発生した熱を、簡易な構造で効率的に放熱することができる表示装置等を提供する。【解決手段】表示装置は、正面に画像を表示する表示パネルと、該表示パネルの背面側に対向配置された導光板と、該導光板を収納する皿型の収納容器と、前記表示パネルに光を供給する発光素子を一面に実装した短辺部及び該短辺部の一面から内側にむけて突出した長辺部を有し、該短辺部の一面を前記導光板の周縁に対向して配置された断面Ｌ字状の光源基板とを備え、該光源基板の長辺部と前記収納容器の底板とは熱的に接続してある。【選択図】図３
2019145366.tif 000002
【特許請求の範囲】
【請求項１】
正面に画像を表示する表示パネルと、
該表示パネルの背面側に対向配置された導光板と、
該導光板を収納する皿型の収納容器と、
前記表示パネルに光を供給する発光素子を一面に実装した短辺部及び該短辺部の一面から内側にむけて突出した長辺部を有し、該短辺部の一面を前記導光板の周縁に対向して配置された断面Ｌ字状の光源基板とを備え、
該光源基板の長辺部と前記収納容器の底板とは熱的に接続してある
ことを特徴とする表示装置。
【請求項２】
前記導光板と前記光源基板の長辺部との間には、放熱板が設けられており、
該光源基板の長辺部は前記放熱板及び収納容器の底板に挟み込まれて、該光源基板と、該放熱板及び収納容器とは熱的に接続してある
ことを特徴とする請求項１に記載の表示装置。
【請求項３】
前記光源基板の長辺部の前記表示パネル側の一面には、コネクタが設けられており、
該コネクタは、前記放熱板に設けられた孔部の内部に配置してある
ことを特徴とする請求項２に記載の表示装置。
【請求項４】
前記光源基板の短辺部の他面は、前記収納容器の側壁の内面と対向してあり、
該光源基板の短辺部と前記収納容器の側壁とは熱的に接続してある
ことを特徴とする請求項１から請求項３のいずれか一つに記載の表示装置。
【請求項５】
前記光源基板は、前記導光板の上下の周縁夫々に配置してある
ことを特徴とする請求項１から請求項４のいずれか一つに記載の表示装置。
【請求項６】
前記収納容器及び放熱板は、アルミニウム、酸化アルミニウム又は銅製である
ことを特徴とする請求項１から請求項５のいずれか一つに記載の表示装置。
【請求項７】
請求項１から請求項６のいずれか１つに記載の表示装置と、
テレビジョン放送を受信する受信部と
を備え、
前記受信部で受信したテレビジョン放送に基づいて前記表示パネルに画像を表示するようにしてあることを特徴とするテレビジョン受信機。
【発明の詳細な説明】
【技術分野】
【０００１】
本発明は、表示装置及びテレビジョン受信機に関する。
【背景技術】
【０００２】
近年、映像又は画像を表示するディスプレイ装置等として、液晶表示装置（liquid crystal display：ＬＣＤ）が広く普及している。液晶表示装置は、液晶パネルの背面にバックライトを配置し、バックライトの発光を液晶パネルにより変調して透過させ、液晶パネルの正面に画像等を表示するように構成されている。この液晶表示装置においては、近年、消費電力の低減と薄型化とを併せて実現するために、ＬＥＤ（発光ダイオード）を光源とするエッジライト型のバックライトが採用されている（例えば、特許文献１）。
【０００３】
エッジライト型のバックライトは、矩形皿形の収納容器内に導光板及び光源を収容して構成されている。導光板は、透過性を有する樹脂製の平板の一面に反射シートを披着してなり、反射シートの披着面を筐体の底面に向け、該底面を覆うように筐体に収容されている。
【０００４】
光源としてのＬＥＤは、短冊形をなす基板の一面に並べて複数実装され、実装面を導光板の一側縁に対向させて、収納容器に取付けてある。各ＬＥＤの発光は、対向する側縁を経て導光板内に入射し、一面の反射シートでの全反射と他面での部分反射を繰り返して伝播し、導光板の他面の全面から出射される。液晶パネルは、導光板の他面に光学シートを介して積層されており、導光板からの出射光は、光学シートにより拡散されて液晶パネルの背面に照射される。
【０００５】
ＬＥＤを駆動して発光させた場合、内部抵抗によってジュール熱が発生し、ＬＥＤは高温となる。また、ＬＥＤの温度上昇に伴って、光源基板も高温となるため、放熱対策が必要となる。そこで、特許文献１の表示装置は、光源基板を放熱体（光源ユニット固定フレーム）に固定し、該放熱体の一部を、収納容器に設けた開口部を介して外部に露出させ、放熱するようにしてある。
【先行技術文献】
【特許文献】
【０００６】
【特許文献１】特開２０１１−８２１７６号公報
【発明の概要】
【発明が解決しようとする課題】
【０００７】
しかしながら、特許文献１の表示装置における光源基板と放熱体との伝熱面積は、光源基板を放熱体に固定している部位の面積に限られ狭く、放熱効率が悪い。
【０００８】
本発明は、斯かる事情に鑑みてなされたものであり、光源基板で発生した熱を、簡易な構造で効率的に放熱することができる表示装置等を提供することを目的とする。
【課題を解決するための手段】
【０００９】
本発明に係る表示装置は、正面に画像を表示する表示パネルと、該表示パネルの背面側に対向配置された導光板と、該導光板を収納する皿型の収納容器と、前記表示パネルに光を供給する発光素子を一面に実装した短辺部及び該短辺部の一面から内側にむけて突出した長辺部を有し、該短辺部の一面を前記導光板の周縁に対向して配置された断面Ｌ字状の光源基板とを備え、該光源基板の長辺部と前記収納容器の底板とは熱的に接続してあることを特徴とする。
【発明の効果】
【００１０】
本発明によれば、光源基板で発生した熱を、簡易な構造で効率的に放熱することができる表示装置等を提供することが可能となる。
【図面の簡単な説明】
【００１１】
【図１】実施形態１に係る表示装置を略示する斜視図である。
【図２】表示装置を略示する側面図である。
【図３】図１のIII−III線による側断面図である。
【図４】実施形態２（放熱板に孔部）に係る表示装置の要部を略示する側面図である。
【図５】実施形態３（スペーサ）に係る表示装置の要部を略示する側面図である。
【発明を実施するための形態】
【００１２】
（実施形態１）
以下、本発明の実施の形態について説明する。図１は、実施形態１に係る表示装置を略示する斜視図である。図２は、表示装置を略示する側面図である。表示装置は、画像表示用の表示パネルとして液晶パネル２を備えた液晶表示装置１である。液晶表示装置１は、該液晶パネル２に光を照射するバックライト４を備えている。
【００１３】
液晶パネル２は、矩形板状をなし、正面に画像を表示する表示部を備えている。液晶パネル２の背面側は、バックライト４の外筐を構成するバックライトシャーシ４３（図３参照）により覆われている。バックライトシャーシ４３（収納容器）は、液晶表示装置１の外装体を構成している。
【００１４】
図１に示す液晶表示装置１は、受信部９及び信号処理部８を備えるテレビジョン受信機として構成されている。受信部９には、図示しないアンテナに接続され、該アンテナを介してテレビジョン放送を受信する。信号処理部８は、受信部９が受信したテレビジョン放送に係るデータを復調し、復調したデータから画像データを分離し、分離した画像データを出力する。液晶パネル２は、信号処理部８が出力した画像データに基づく画像を表示する。
【００１５】
液晶表示装置１は、脚７を備えている。液晶表示装置１は、脚７で支えられて平坦な台上に載置され、液晶パネル２の表示面を縦姿勢に保って使用される。以下の説明においては、液晶パネル２の表示面側を前、他面側を後とする。また、以下の説明において使用する上、下は、前述した使用状態での上、下に対応し、同じく左、右は、使用状態において前側から見て左、右に対応する。
【００１６】
図３は、図１のIII−III線による側断面図である。この側断面図には、液晶表示装置１の上部及び下部の一部が示されている。バックライト４は、バックライトシャーシ４３の内部に導光板４１を備えている。バックライトシャーシ４３は、矩形の底板４３１の周縁を略垂直に立ち上げて短寸の側壁４３２を周設し、浅底皿形に成形された金属製の筐体である。図３に示すごとく、バックライトシャーシ４３の底板４３１及び側壁４３２は、断面視にてＬ字状をなす。
【００１７】
導光板４１は、ガラス製、又はアクリル樹脂等の透光性を有する樹脂製の平板であり、矩形に成形されている。導光板４１は、平板の後側の面（後面）に反射シート４２を被着した光学部材であり、反射シート４２は、導光板４１の後面及び側面に被着してある。導光板４１は、反射シート４２の被着面（後面）を、バックライトシャーシ４３の底板４３１の側に向け、該底板４３１の略全面を覆うようにバックライトシャーシ４３に収容されている。導光板４１の前面には、積層された複数の光学シートによる光学シート群３が設けられている。
【００１８】
バックライト４は、導光板４１の上側の周縁（上側端面）及び下側の周縁（下側端面）の夫々に対向して設けられた２つの光源基板４４を備え、光源基板４４からの照射光は、導光板４１及び光学シート群３を介して液晶パネル２の背面に照射される。
【００１９】
光源基板４４は、矩形板状の短辺部４４２及びこの短辺部４４２の一面から略垂直に突出した矩形板状の長辺部４４３を備えた断面Ｌ字状をなす。短辺部４４２はＬ字の短辺に相当し、長辺部４４３はＬ字の長辺に相当する。すなわち、短辺部４４２の短手方向の長さは、長辺部４４３の短手方向の長さよりも小さく設定してある。光源基板４４の長手方向の長さは、導光板４１の上側及び下側の周縁の長さと略同じとなるように対応して設定してある。
【００２０】
短辺部４４２の一面には、ＬＥＤ（発光ダイオード）等の複数の発光素子４４１が長手方向に亘って、実装されている。発光素子４４１が発光することによって、光源基板４４から発熱が生じる。
【００２１】
光源基板４４は、短辺部４４２の他面をバックライトシャーシ４３の側壁４３２の内面に対向させて設けられている。光源基板４４の短辺部４４２の他面と、バックライトシャーシ４３の側壁４３２の内面との間には、両面テープ５が介装してあり、この両面テープ５によって接着されて、光源基板４４はバックライトシャーシ４３に固定してある。この両面テープ５は伝熱性を有しており、光源基板４４とバックライトシャーシ４３とは、この両面テープ５を介して熱的に接続されている。
【００２２】
光源基板４４の短辺部４４２及び長辺部４４３によるＬ字の角部は、バックライトシャーシ４３の底板４３１及び側壁４３２によるＬ字の角部に位置合わせして、光源基板４４はバックライトシャーシ４３に固定してある。光源基板４４の短辺部４４２の幅方向の長さ、すなわち短辺部４４２の短手方向の長さは、バックライトシャーシ４３の側壁４３２の幅方向の長さ、すなわち側壁４３２の突出長さと略同じになるように設定してある。
【００２３】
光源基板４４は、その長辺部４４３の一面（後面）をバックライトシャーシ４３の底板４３１の内面（前面）に対向して、設けられている。光源基板４４は、その長辺部４４３の一面をバックライトシャーシ４３の底板４３１の内面に当接させることにより、バックライトシャーシ４３と熱的に接続してある。熱的に接続とは、長辺部４４３の一面と底板４３１の内面とを直接的に当接させることに限定されず、例えば、長辺部４４３の一面と底板４３１の内面との間にグリース又は熱伝導シート等の伝熱を促進させる伝熱促進部材を介装させて熱的に接続することを含む。
【００２４】
光源基板４４の長辺部４４３の他面（前面）、すなわち液晶パネル２側の面と、導光板４１に貼付されている反射シート４２との間には、矩形の放熱板１２が設けられている。放熱板１２は、導光板４１と略同じ大きさの同形状をなす。
【００２５】
光源基板４４の長辺部４４３は、放熱板１２及びバックライトシャーシ４３の底板４３１によって挟み込まれ、長辺部４４３の一面はバックライトシャーシ４３と当接し、長辺部４４３の他面は底板４３１と当接することで、光源基板４４は、放熱板１２及びバックライトシャーシ４３と熱的に接続されている。放熱板１２及びバックライトシャーシ４３は、アルミニウム、酸化アルミニウム又は銅等の熱伝導率の高い金属製であり、光源基板４４からの発熱を効率的に放熱する。光源基板４４と、放熱板１２及びバックライトシャーシ４３とは、電気的に絶縁されていることは、言うまでもない。
【００２６】
表示装置１は、液晶パネル２を支持するパネルシャーシ１１を備える。パネルシャーシ１１は、断面視クランク状の樹脂製又はアルミニウム等の金属製の板部材であり、液晶パネル２の上側及び下側の夫々に設けられている。これらパネルシャーシ１１の一端部は、光学シート及び導光板４１との間に介在して、スペーサとして機能する。上側のパネルシャーシ１１は、バックライトシャーシ４３の側壁４３２を外側、すなわち側壁４３２の外面を覆う側面部を含む。
【００２７】
液晶パネル２の正面側の周縁を覆うようにベゼル１０が設けられている。液晶表示装置１は、箱状のカバー６を備える。カバー６は、液晶表示パネルの下部側に配され、バックライトシャーシ４３を背面側から覆うように設けられている。
【００２８】
発光素子４４１の発光は、上部及び下部に設けられた光源基板４４夫々に対向する上側及び下側の周縁を経て導光板４１に入射し、導光板４１の内部で後面に被着した反射シート４２での全反射と前面での部分反射を繰り返して進行し、導光板４１の前面全体に分布して出射される。この出射光は、光学シート群３により拡散されて液晶パネル２の背面に照射され、液晶パネル２は、バックライト４からの出射光を内部に封入された液晶の駆動により変調して透過させ、前面（正面）に画像を表示する。
【００２９】
光源基板４４は、短辺部４４２及び長辺部４４３による断面Ｌ字状をなし、この長辺部４４３の一面をバックライトシャーシ４３の底板４３１の内面に対向させて熱的に接触してある。従って、光源基板４４とバックライトシャーシ４３との伝熱面積を大きくすることができ、光源基板４４からの発熱を効率的にバックライトシャーシ４３に伝熱することができる。バックライトシャーシ４３は、液晶表示装置１の外装体を構成しているため、液晶表示装置１の周辺空気と効率的に熱交換し、光源基板４４からの発熱を効率的に放熱することができる。
【００３０】
発光素子４４１は、光源基板４４の短辺部４４２の一面に実装しているため、光源基板４４の実装面積を大きくしつつ、短辺部４４２の短手方向の長さを小さくして液晶表示装置１の薄型化を図ることができる。
【００３１】
光源基板４４の長辺部４４３の他面（前面）に対向させて放熱板１２を設け、長辺部４４３の他面と放熱板１２とを熱的に接触してあるため、光源基板４４からの発熱を、放熱板１２を介して放熱することができる。すなわち、光源基板４４の長辺部４４３をバックライトシャーシ４３の底面及び放熱板１２によって挟み込むことで、効率的に光源基板４４からの発熱を放熱することができる。
【００３２】
光源基板４４の短辺部４４２の他面とバックライトシャーシ４３の側壁４３２の内面との間には、両面テープ５を介在して、光源基板４４及びバックライトシャーシ４３を接着して固定してある。この両面テープ５は、伝熱性を有するため、光源基板４４の短辺部４４２とバックライトシャーシ４３の側壁４３２の内面とを熱的に接触させ、光源基板４４とバックライトシャーシ４３との伝熱面積を更に大きくし、光源基板４４からの発熱を更に効率的にバックライトシャーシ４３に伝熱することができる。
【００３３】
光源基板４４の短辺部４４２及び長辺部４４３によるＬ字の角部は、バックライトシャーシ４３の底板４３１及び側壁４３２によるＬ字の角部に位置合わせしてあり、短辺部４４２の短手方向の長さは、側壁４３２の突出長さ（立ち上がりの高さ）と略同じになるように設定してある。従って、光源基板４４の実装面積を大きくしつつ、液晶表示装置１の薄型化を図ることができる。
【００３４】
光源基板４４は、導光板４１の上側の周縁（上側端面）及び下側の周縁（下側端面）の夫々に対向させて２つ設けてある。従って、高輝度化を図りつつ、断面Ｌ字状の光源基板４４を用いることで、液晶表示装置１の薄型化を図ることができる。
【００３５】
（実施形態２）
図４は、実施形態２（放熱板に孔部）に係る表示装置の要部を略示する側面図である。図４には、液晶パネル２、導光板４１、バックライトシャーシ４３、放熱板１２及び光源基板４４が示されている。光源基板４４は、実施形態１と同様に短辺部４４２及び長辺部４４３を備えた断面Ｌ字状をなす。
【００３６】
光源基板４４の長辺部４４３の一面の先端部側には、光源基板４４を制御する制御部（図示せず）と接続するためのコネクタ４４４が設けられている。コネクタ４４４と制御部とはハーネス４４５によって電気的に接続されている。ハーネス４４５は、放熱板１２の後面とバックライトシャーシ４３の底板４３１の内面との間の隙間に配されている。
【００３７】
コネクタ４４４は、放熱板１２に設けられた孔部１２１の内部に位置するように設けられている。放熱板１２の孔部１２１の形状は、コネクタ４４４の平面視の形状に対応した形状をなしている。コネクタ４４４は、断面視にて矩形をなし、コネクタ４４４の厚み、すなわち光源基板４４の長辺部４４３の一面からの高さは、放熱板１２の板厚よりも小さく設定してある。
【００３８】
コネクタ４４４は、光源基板４４の長辺部４４３の一面に設けられているため、発光素子４４１が実装されている光源基板４４の短辺部４４２にコネクタ４４４を設けることを不要とし、この短辺部４４２の短手方向の長さを小さくすることができる。短辺部４４２の短手方向の長さを小さくすることによって、液晶表示装置１の薄型化を図ることができる。
【００３９】
コネクタ４４４は、光源基板４４の長辺部４４３の一面の先端部、すなわち長辺部４４３と短辺部４４２とによる角部から離れた位置に設けられている。従って、コネクタ４４４に対応した放熱板１２の孔部１２１も、この角部から離れた位置に設けられているため、角部の近傍に位置する発光素子４４１と放熱板１２の孔部１２１との距離を大きくすることができる。放熱板１２の孔部１２１は、放熱板１２の放熱面積を減少させるところ、この孔部１２１と発光素子４４１との距離を大きくすることで、当該孔部１２１により放熱性が低下することを抑制することができる。
【００４０】
コネクタ４４４と制御部とを電気的に接続するハーネス４４５は、放熱板１２の後面とバックライトシャーシ４３の底板４３１の内面との間の隙間に配してあり、この隙間は、光源基板４４の長辺部４４３の板厚によるものである。従って、簡易な構造でハーネス４４５を配することができる。
【００４１】
（実施形態３）
図５は、実施形態３（スペーサ）に係る表示装置の要部を略示する側面図である。図５には、液晶パネル２、導光板４１、バックライトシャーシ４３及び光源基板４４が示されている。光源基板４４は、実施形態１と同様に短辺部４４２及び長辺部４４３を備えた断面Ｌ字状をなす。
【００４２】
実施形態１において、光源基板４４の長辺部４４３の他面と導光板４１に貼付されている反射シート４２との間には、放熱板１２が設けられているとしたが、これに限定されない。光源基板４４の長辺部４４３の他面と導光板４１に貼付されている反射シート４２との間にスペーサ１３を設け、このスペーサ１３によって、光源基板４４の長辺部４４３と反射シート４２との間を所定の距離に維持するものであってもよい。
【００４３】
スペーサ１３の厚みは、放熱板１２の板厚よりも小さく設定してあるため、液晶表示装置１の薄型化を更に図ることができる。
【００４４】
本開示の実施形態に係る表示装置１は、正面に画像を表示する表示パネル２と、該表示パネル２の背面側に対向配置された導光板４１と、該導光板４１を収納する皿型の収納容器４３と、前記表示パネル２に光を供給する発光素子４４１を一面に実装した短辺部４４２及び該短辺部４４２の一面から内側にむけて突出した長辺部４４３を有し、該短辺部４４２の一面を前記導光板４１の周縁に対向して配置された断面Ｌ字状の光源基板４４とを備え、該光源基板４４の長辺部４４３と前記収納容器４３の底板４３１とは熱的に接続してある。
【００４５】
本実施形態によれば、断面Ｌ字状の光源基板４４とすることで、基板の実装面積を大きくしつつ、断面Ｌ字状の光源基板４４の短辺部４４２の一面に発光素子４４１を実装することで、表示装置１を薄幅にすることができる。断面Ｌ字状の光源基板４４の長辺部４４３と収納容器４３の底板４３１とは熱的に接続することによって、光源基板４４と底板４３１との伝熱面積を大きくし、光源基板４４からの発熱を効率的に底板４３１に伝熱し、当該発熱を底板４３１によって効率的に放熱することができる。
【００４６】
本開示の実施形態に係る表示装置１は、前記導光板４１と前記光源基板４４の長辺部４４３との間には、放熱板１２が設けられており、該光源基板４４の長辺部４４３は前記放熱板１２及び収納容器４３の底板４３１に挟み込まれて、該光源基板４４と、該放熱板１２及び収納容器４３とは熱的に接続してある。
【００４７】
本実施形態によれば、光源基板４４の長辺部４４３は、前記放熱板１２及び収納容器４３の底板４３１によって挟み込まれて夫々と熱的に接続してある。従って、光源基板４４と、底板４３１及び放熱板１２との伝熱面積を大きくし、光源基板４４からの発熱を効率的に底板４３１及び放熱板１２に伝熱し、当該発熱を底板４３１及び放熱板１２によって効率的に放熱することができる。
【００４８】
本開示の実施形態に係る表示装置１は、前記光源基板４４の長辺部４４３の前記表示パネル２側の一面には、コネクタ４４４が設けられており、該コネクタ４４４は、前記放熱板１２に設けられた孔部１２１の内部に配置してある。
【００４９】
本実施形態によれば、光源基板４４の長辺部４４３に設けられたコネクタ４４４を配置するための放熱板１２の孔部１２１は、光源基板４４の短辺部４４２に実装された発光素子４４１から離れた距離に位置するため、当該孔部１２１による放熱板１２の放熱性の低下を抑制することができる。
【００５０】
本開示の実施形態に係る表示装置１は、前記光源基板４４の短辺部４４２の他面は、前記収納容器４３の側壁４３２の内面と対向してあり、該光源基板４４の短辺部４４２と前記収納容器４３の側壁４３２とは熱的に接続してある。
【００５１】
本実施形態によれば、光源基板４４の短辺部４４２と収納容器４３の側壁４３２とは熱的に接続してあるので、光源基板４４と底板４３１との伝熱面積を大きくし、光源基板４４からの発熱を効率的に底板４３１に伝熱し、当該発熱を底板４３１によって効率的に放熱することができる。
【００５２】
本開示の実施形態に係る表示装置１は、前記光源基板４４は、前記導光板４１の上下の周縁夫々に配置してある。
【００５３】
本実施形態によれば、光源基板４４を導光板４１の上下の周縁夫々に配置することで、高輝度化を図りつつ、断面Ｌ字状の光源基板４４を用いることで、表示装置１を薄幅（薄型化）にすることができる。
【００５４】
本開示の実施形態に係る表示装置１は、前記収納容器４３及び放熱板１２は、アルミニウム、酸化アルミニウム又は銅製である。
【００５５】
本実施形態によれば、収納容器４３及び放熱板１２はアルミニウム、酸化アルミニウム又は銅製とすることで、収納容器４３及び放熱板１２の熱伝導率を向上させ、光源基板４４による発熱を効率的に放熱することができる。
【００５６】
本開示の実施形態に係るテレビジョン受信機は、本開示の実施形態に係る表示装置１と、テレビジョン放送を受信する受信部９とを備え、前記受信部９で受信したテレビジョン放送に基づいて前記表示パネル２に画像を表示するようにしてあることを特徴する。
【００５７】
本実施形態によれば、本実施形態によれば、上述の表示装置１を用いることにより、簡易な構造で効率的に放熱することができるテレビジョン受信機を提供することができる。
【００５８】
今回開示された実施形態はすべての点で例示であって、制限的なものではないと考えられるべきである。本発明の範囲は、上述した意味ではなく、特許請求の範囲によって示され、特許請求の範囲と均等の意味及び範囲内でのすべての変更が含まれることが意図される。
【符号の説明】
【００５９】
１  液晶表示装置（表示装置）
２  液晶パネル（表示パネル）
３  光学シート群
４  バックライト
４１  導光板
４２  反射シート
４３  バックライトシャーシ（収納容器）
４３１  底板
４３２  側壁
４４  光源基板
４４１  発光素子
４４２  短辺部
４４３  長辺部
４４４  コネクタ
４４５  ハーネス
５  両面テープ
６  カバー
７  脚
８  信号処理部
９  受信部
１０  ベゼル
１１  パネルシャーシ
１２  放熱板
１２１  孔部
１３  スペーサ
【図１】
2019145366.tif 000003
【図２】
2019145366.tif 000004
【図３】
2019145366.tif 000005
【図４】
2019145366.tif 000006
【図５】
2019145366.tif 000007
【手続補正書】
【提出日】令和1年5月15日(2019.5.15)
【手続補正１】
【補正対象書類名】明細書
【補正対象項目名】００２５
【補正方法】変更
【補正の内容】
【００２５】
光源基板４４の長辺部４４３は、放熱板１２及びバックライトシャーシ４３の底板４３１によって挟み込まれ、長辺部４４３の一面はバックライトシャーシ４３と当接し、長辺部４４３の他面は放熱板１２と当接することで、光源基板４４は、放熱板１２及びバックライトシャーシ４３と熱的に接続されている。放熱板１２及びバックライトシャーシ４３は、アルミニウム、酸化アルミニウム又は銅等の熱伝導率の高い金属製であり、光源基板４４からの発熱を効率的に放熱する。光源基板４４と、放熱板１２及びバックライトシャーシ４３とは、電気的に絶縁されていることは、言うまでもない。
【手続補正２】
【補正対象書類名】明細書
【補正対象項目名】００２６
【補正方法】変更
【補正の内容】
【００２６】
液晶表示装置１は、液晶パネル２を支持するパネルシャーシ１１を備える。パネルシャーシ１１は、断面視クランク状の樹脂製又はアルミニウム等の金属製の板部材であり、液晶パネル２の上側及び下側の夫々に設けられている。これらパネルシャーシ１１の一端部は、光学シート及び導光板４１との間に介在して、スペーサとして機能する。上側のパネルシャーシ１１は、バックライトシャーシ４３の側壁４３２を外側、すなわち側壁４３２の外面を覆う側面部を含む。
【手続補正３】
【補正対象書類名】明細書
【補正対象項目名】００２７
【補正方法】変更
【補正の内容】
【００２７】
液晶パネル２の正面側の周縁を覆うようにベゼル１０が設けられている。液晶表示装置１は、箱状のカバー６を備える。カバー６は、液晶パネル２の下部側に配され、バックライトシャーシ４３を背面側から覆うように設けられている。
【手続補正４】
【補正対象書類名】明細書
【補正対象項目名】００３６
【補正方法】変更
【補正の内容】
【００３６】
光源基板４４の長辺部４４３の他面の先端部側には、光源基板４４を制御する制御部（図示せず）と接続するためのコネクタ４４４が設けられている。コネクタ４４４と制御部とはハーネス４４５によって電気的に接続されている。ハーネス４４５は、放熱板１２の後面とバックライトシャーシ４３の底板４３１の内面との間の隙間に配されている。
【手続補正５】
【補正対象書類名】明細書
【補正対象項目名】００３７
【補正方法】変更
【補正の内容】
【００３７】
コネクタ４４４は、放熱板１２に設けられた孔部１２１の内部に位置するように設けられている。放熱板１２の孔部１２１の形状は、コネクタ４４４の平面視の形状に対応した形状をなしている。コネクタ４４４は、断面視にて矩形をなし、コネクタ４４４の厚み、すなわち光源基板４４の長辺部４４３の他面からの高さは、放熱板１２の板厚よりも小さく設定してある。
【手続補正６】
【補正対象書類名】明細書
【補正対象項目名】００３８
【補正方法】変更
【補正の内容】
【００３８】
コネクタ４４４は、光源基板４４の長辺部４４３の他面に設けられているため、発光素子４４１が実装されている光源基板４４の短辺部４４２にコネクタ４４４を設けることを不要とし、この短辺部４４２の短手方向の長さを小さくすることができる。短辺部４４２の短手方向の長さを小さくすることによって、液晶表示装置１の薄型化を図ることができる。
【手続補正７】
【補正対象書類名】明細書
【補正対象項目名】００３９
【補正方法】変更
【補正の内容】
【００３９】
コネクタ４４４は、光源基板４４の長辺部４４３の他面の先端部、すなわち長辺部４４３と短辺部４４２とによる角部から離れた位置に設けられている。従って、コネクタ４４４に対応した放熱板１２の孔部１２１も、この角部から離れた位置に設けられているため、角部の近傍に位置する発光素子４４１と放熱板１２の孔部１２１との距離を大きくすることができる。放熱板１２の孔部１２１は、放熱板１２の放熱面積を減少させるところ、この孔部１２１と発光素子４４１との距離を大きくすることで、当該孔部１２１により放熱性が低下することを抑制することができる。
【手続補正８】
【補正対象書類名】明細書
【補正対象項目名】００４４
【補正方法】変更
【補正の内容】
【００４４】
本開示の実施形態に係る表示装置は、正面に画像を表示する表示パネル２と、該表示パネル２の背面側に対向配置された導光板４１と、該導光板４１を収納する皿型の収納容器４３と、前記表示パネル２に光を供給する発光素子４４１を一面に実装した短辺部４４２及び該短辺部４４２の一面から内側にむけて突出した長辺部４４３を有し、該短辺部４４２の一面を前記導光板４１の周縁に対向して配置された断面Ｌ字状の光源基板４４とを備え、該光源基板４４の長辺部４４３と前記収納容器４３の底板４３１とは熱的に接続してある。
【手続補正９】
【補正対象書類名】明細書
【補正対象項目名】００４５
【補正方法】変更
【補正の内容】
【００４５】
本実施形態によれば、断面Ｌ字状の光源基板４４とすることで、基板の実装面積を大きくしつつ、断面Ｌ字状の光源基板４４の短辺部４４２の一面に発光素子４４１を実装することで、表示装置を薄幅にすることができる。断面Ｌ字状の光源基板４４の長辺部４４３と収納容器４３の底板４３１とは熱的に接続することによって、光源基板４４と底板４３１との伝熱面積を大きくし、光源基板４４からの発熱を効率的に底板４３１に伝熱し、当該発熱を底板４３１によって効率的に放熱することができる。
【手続補正１０】
【補正対象書類名】明細書
【補正対象項目名】００４６
【補正方法】変更
【補正の内容】
【００４６】
本開示の実施形態に係る表示装置は、前記導光板４１と前記光源基板４４の長辺部４４３との間には、放熱板１２が設けられており、該光源基板４４の長辺部４４３は前記放熱板１２及び収納容器４３の底板４３１に挟み込まれて、該光源基板４４と、該放熱板１２及び収納容器４３とは熱的に接続してある。
【手続補正１１】
【補正対象書類名】明細書
【補正対象項目名】００４８
【補正方法】変更
【補正の内容】
【００４８】
本開示の実施形態に係る表示装置は、前記光源基板４４の長辺部４４３の前記表示パネル２側の一面には、コネクタ４４４が設けられており、該コネクタ４４４は、前記放熱板１２に設けられた孔部１２１の内部に配置してある。
【手続補正１２】
【補正対象書類名】明細書
【補正対象項目名】００５０
【補正方法】変更
【補正の内容】
【００５０】
本開示の実施形態に係る表示装置は、前記光源基板４４の短辺部４４２の他面は、前記収納容器４３の側壁４３２の内面と対向してあり、該光源基板４４の短辺部４４２と前記収納容器４３の側壁４３２とは熱的に接続してある。
【手続補正１３】
【補正対象書類名】明細書
【補正対象項目名】００５２
【補正方法】変更
【補正の内容】
【００５２】
本開示の実施形態に係る表示装置は、前記光源基板４４は、前記導光板４１の上下の周縁夫々に配置してある。
【手続補正１４】
【補正対象書類名】明細書
【補正対象項目名】００５３
【補正方法】変更
【補正の内容】
【００５３】
本実施形態によれば、光源基板４４を導光板４１の上下の周縁夫々に配置することで、高輝度化を図りつつ、断面Ｌ字状の光源基板４４を用いることで、表示装置を薄幅（薄型化）にすることができる。
【手続補正１５】
【補正対象書類名】明細書
【補正対象項目名】００５４
【補正方法】変更
【補正の内容】
【００５４】
本開示の実施形態に係る表示装置は、前記収納容器４３及び放熱板１２は、アルミニウム、酸化アルミニウム又は銅製である。
【手続補正１６】
【補正対象書類名】明細書
【補正対象項目名】００５６
【補正方法】変更
【補正の内容】
【００５６】
本開示の実施形態に係るテレビジョン受信機は、本開示の実施形態に係る表示装置と、テレビジョン放送を受信する受信部９とを備え、前記受信部９で受信したテレビジョン放送に基づいて前記表示パネル２に画像を表示するようにしてあることを特徴する。
【手続補正１７】
【補正対象書類名】明細書
【補正対象項目名】００５７
【補正方法】変更
【補正の内容】
【００５７】
本実施形態によれば、上述の表示装置を用いることにより、簡易な構造で効率的に放熱することができるテレビジョン受信機を提供することができる。
【手続補正１８】
【補正対象書類名】図面
【補正対象項目名】図４
【補正方法】変更
【補正の内容】
【図４】
2019145366.tif 000008